(57)【要約】【課題】連続撮影により得られた画像を連続再生する際に、面倒な操作を要することなく、特定の画像を拡大して再生することができる画像再生装置等を提供する。【解決手段】画像のズーム処理を行うズーム処理部１６ａと、時間的に連続して撮影されることにより得られた複数の画像で構成される画像グループの画像を、撮影順序に従って連続的に再生するように制御するものであって、画像グループに含まれている画像の内の少なくとも１つにズーム情報が設定されている場合には、このズーム情報に基づいて、少なくともズーム情報が設定されている画像のズーム処理をズーム処理部１６ａに行わせるように制御する再生制御部１１ａと、を備える画像再生装置において、再生制御部１１ａは、ズーム処理が行われた画像を、ズーム処理が行われた画像の撮影順序における前の画像と後の画像との間に挿入して再生するように制御するものである。【選択図】図１
2008258926.tif 000002
【特許請求の範囲】
【請求項１】
画像のズーム処理を行うズーム処理部と、
時間的に連続して撮影されることにより得られた複数の画像で構成される画像グループの画像を、撮影順序に従って連続的に再生するように制御するものであって、上記画像グループに含まれている画像の内の少なくとも１つにズーム情報が設定されている場合には、該ズーム情報に基づいて、少なくとも該ズーム情報が設定されている画像のズーム処理を上記ズーム処理部に行わせるように制御する再生制御部と、
を具備し、
上記再生制御部は、上記ズーム処理が行われた画像を、該ズーム処理が行われた画像の上記撮影順序における前の画像と後の画像との間に挿入して再生するように制御するものであることを特徴とする画像再生装置。
【請求項２】
上記再生制御部は、上記ズーム処理が行われた画像を、該ズーム処理が行われた対象である元の画像の再生に引き続いて、再生するように制御するものであることを特徴とする請求項１に記載の画像再生装置。
【請求項３】
上記再生制御部は、上記ズーム処理が行われた画像を、該ズーム処理が行われた対象である元の画像の再生を行うことなく、再生するように制御するものであることを特徴とする請求項１に記載の画像再生装置。
【請求項４】
上記再生制御部は、上記ズーム情報が設定されている画像の上記撮影順序における前の１つ以上の画像と後の１つ以上の画像との少なくとも一方であって、かつズーム情報が設定されていない画像についても、該ズーム情報に基づいて、上記ズーム処理部に自動的にズーム処理を行わせるように制御するものであることを特徴とする請求項１に記載の画像再生装置。
【請求項５】
上記再生制御部は、上記ズーム情報に基づく拡大率と、該ズーム情報が設定されている画像の上記撮影順序における１つ前または１つ後の画像の拡大率との比が、予め設定された値以上である場合に上記ズーム処理部に上記自動的なズーム処理を行わせ、該予め設定された値未満である場合には該自動的なズーム処理を行わせないように制御するものであることを特徴とする請求項４に記載の画像再生装置。
【請求項６】
上記再生制御部は、上記ズーム情報が設定されていない画像に対する上記自動的なズーム処理においては、上記ズーム情報に基づく拡大率よりも低い拡大率で上記ズーム処理部にズーム処理を行わせるように制御するものであることを特徴とする請求項４に記載の画像再生装置。
【請求項７】
上記再生制御部は、上記ズーム処理が行われた画像の再生時間を、該ズーム処理が行われていない画像の再生時間よりも短くするように制御するものであることを特徴とする請求項１に記載の画像再生装置。
【請求項８】
上記再生制御部は、上記画像グループに含まれている画像の内の少なくとも２つにズーム情報が設定されている場合であって、かつズーム情報が設定されている２つの画像の上記撮影順序における間の画像にズーム情報が設定されていない場合には、該撮影順序における間の画像に対しても、少なくとも一方のズーム情報に基づいて、上記ズーム処理部に自動的にズーム処理を行わせるように制御するものであることを特徴とする請求項１に記載の画像再生装置。
【請求項９】
上記再生制御部は、上記ズーム情報が設定されている２つの画像の上記撮影順序における間の画像の数が、予め設定された数以下である場合に上記ズーム処理部に上記自動的なズーム処理を行わせ、該予め設定された数よりも大きい場合には該自動的なズーム処理を行わせないように制御するものであることを特徴とする請求項８に記載の画像再生装置。
【請求項１０】
上記再生制御部は、画像の連続的な再生を行う前に、上記画像グループに含まれている全画像のズーム情報に基づいて、該全画像に係る拡大率と再生時間とが設定されたズームシーケンスを作成し、該ズームシーケンスに基づいて画像の連続的な再生を制御するものであることを特徴とする請求項１に記載の画像再生装置。
【請求項１１】
上記画像グループに含まれている画像にズーム情報を設定する操作を行うための操作部と、
上記操作部へのズーム情報の設定操作に応じて、該設定操作の対象となった画像に、該ズーム情報を関連付けて記録するズーム情報設定部と、
をさらに具備したことを特徴とする請求項１に記載の画像再生装置。
【請求項１２】
上記再生制御部は、上記ズーム処理が行われた画像を挿入して再生した後は、該ズーム処理が行われた画像を挿入しない再生を行った場合に該再生後の時点で再生される予定のズーム処理が行われていない画像から、上記撮影順序に従った連続的な再生を再開するように制御するものであることを特徴とする請求項１に記載の画像再生装置。
【請求項１３】
上記画像グループに含まれている各画像に対応する音声の再生を行うための音声処理部をさらに具備し、
上記再生制御部は、上記音声処理部による音声の再生も制御するものであって、上記画像の連続的な再生とともに音声も再生する場合には、上記ズーム処理が行われた画像を挿入して再生するときにも、該ズーム処理が行われた画像を挿入しない再生を行った場合に再生される予定のズーム処理が行われていない画像に対応する音声を再生するように制御するものであることを特徴とする請求項１２に記載の画像再生装置。
【請求項１４】
コンピュータに、
時間的に連続して撮影されることにより得られた複数の画像で構成される画像グループの画像を、撮影順序に従って連続的に再生するステップと、
上記画像グループに含まれている画像の内の少なくとも１つにズーム情報が設定されている場合には、該ズーム情報に基づいて、少なくとも該ズーム情報が設定されている画像のズーム処理を行うステップと、
上記ズーム処理が行われた画像を、該ズーム処理が行われた画像の上記撮影順序における前の画像と後の画像との間に挿入して再生するステップと、
上記ズーム処理が行われた画像を挿入して再生した後は、該ズーム処理が行われた画像を挿入しない再生を行った場合に該再生後の時点で再生される予定のズーム処理が行われていない画像から、上記撮影順序に従った連続的な再生を再開するステップと、
を実行させるための画像再生プログラム。
【請求項１５】
コンピュータに、
時間的に連続して撮影されることにより得られた複数の画像で構成される画像グループの画像を、撮影順序に従って連続的に再生するステップと、
上記画像グループに含まれている画像の内の少なくとも１つにズーム情報が設定されている場合には、該ズーム情報に基づいて、少なくとも該ズーム情報が設定されている画像のズーム処理を行うステップと、
上記ズーム処理が行われた画像を、該ズーム処理が行われた画像の上記撮影順序における前の画像と後の画像との間に挿入して再生するステップと、
上記ズーム処理が行われた画像を挿入して再生した後は、該ズーム処理が行われた画像を挿入しない再生を行った場合に該再生後の時点で再生される予定のズーム処理が行われていない画像から、上記撮影順序に従った連続的な再生を再開するステップと、
を実行させるための画像再生プログラムを記録する、コンピュータにより読み取り可能な記録媒体。
【請求項１６】
時間的に連続して撮影されることにより得られた複数の画像で構成される画像グループの画像を、撮影順序に従って連続的に再生するステップと、
上記画像グループに含まれている画像の内の少なくとも１つにズーム情報が設定されている場合には、該ズーム情報に基づいて、少なくとも該ズーム情報が設定されている画像のズーム処理を行うステップと、
上記ズーム処理が行われた画像を、該ズーム処理が行われた画像の上記撮影順序における前の画像と後の画像との間に挿入して再生するステップと、
上記ズーム処理が行われた画像を挿入して再生した後は、該ズーム処理が行われた画像を挿入しない再生を行った場合に該再生後の時点で再生される予定のズーム処理が行われていない画像から、上記撮影順序に従った連続的な再生を再開するステップと、
を含む画像再生方法。
【発明の詳細な説明】
【技術分野】
【０００１】
本発明は、時間的に連続して撮影されることにより得られた複数の画像を撮影順序に従って連続的に再生する画像再生装置、画像再生プログラム、記録媒体、画像再生方法に関する。
【背景技術】
【０００２】
デジタルカメラ等の撮像装置に用いられる記録媒体は、近年、容量当たりの単価が低下して、大容量の記録媒体を比較的安価に入手することができるようになってきている。さらに、近年の記録媒体は、データ転送速度の高速化も図られており、単位時間当たりに記録可能なデータ量が増加している。
【０００３】
このような環境から、撮像装置において大量の画像を高速に撮影することが可能になりつつあり、連写撮影や動画撮影が手軽に利用されるようになってきている。
【０００４】
こうして撮影された連写画像を再生する際には、通常の１コマ送りの再生が行われるだけではなく、スライドショーによる再生も比較的高い頻度で利用されている。このスライドショーは、再生画像をコマ送りする操作が不要であって簡便であるために、通常の１コマ撮影された画像を再生する際に用いられるが、連写画像を再生する際にももちろん用いられる。特に連写画像を再生する際には、画像を観察する側に被写体の動きが伝わるという利点を備えたものとなっている。
【０００５】
ところで、この連続再生においては、再生を開始した当初は画像の全体が表示され、再生の途中から被写体の特徴部分が拡大されて表示されるような見せ方が、効果的な見せ方の一例である。このような見せ方は、画像全体が連続再生の最初から最後まで表示される見せ方に比べて、見ていて飽きないためである。
【０００６】
連写画像の再生において、このような見せ方を実現させるための一番簡単な方法は、連写撮影自体がこの見せ方に対応した画角により行われることである。このような連写画像は、撮影の途中にレンズの焦点距離をワイド側からテレ側へ適宜変化させて、撮影を行うことにより得られる。そして、こうして得られる連写画像や動画像が鑑賞に堪えうるものとなるためには、被写体の特徴部分がクローズアップされるように撮影することが望ましい。
【０００７】
また、上述したような見せ方は、デジタルズーム機能が付いた画像再生装置においては、再生処理によって実現することができる。つまり、画像を１コマずつマニュアルにより切り換えて、特定の画像を表示する際に、その画像をデジタルズームにより拡大して表示させることにより可能となる。
【０００８】
上述したような連写画像ではないが、静止画像を再生処理する際にズーム等を行う技術の一例として、特開２００６−１７４１７８号公報には、静止画の一部を切り出して特定の被写体をクローズアップするズームイン処理や、静止画の端から端へ視点を移動させるパーン処理などの特殊エフェクトによって、静止画の撮影場面に臨場感を与えた表現や、主題とする被写体を演出した表現等が行えるようにしたフォトムービーの技術が記載されている。
【０００９】
また、特開２００６−１４６４２８号公報には、上述したようなフォトムービーにおいて、ズームエフェクトやパーンエフェクトが選択された際に、静止画像内の顔画像を検出し、検出した顔画像が見映えの良い位置や大きさになるように自動的に拡大等を行って調整する技術が記載されている。
【特許文献１】特開２００６−１７４１７８号公報
【特許文献２】特開２００６−１４６４２８号公報
【発明の開示】
【発明が解決しようとする課題】
【００１０】
上述したような連写撮影は、一般に動きのある被写体に対して利用される撮影方法であって、移動する被写体を画面から外さないようにするために、レンズの焦点距離を広角にして撮影されることが多い。そして、このような連写撮影を行っている最中に適切なズーム操作を行うためには、高度な撮影技術が必要である。従って、鑑賞に堪えうるズーム操作がなされた連写画像を撮影するのは、プロフェッショナルのカメラマンでない限り、容易な業ではない。その一方で、上述したような広角において連続的に撮影された画像をそのまま再生すると、画像内のごく一部にのみ動きがある広範囲な画角の画像が延々と再生されることになるために、見るものは退屈してしまうことが多い。
【００１１】
これに対して、再生時に特定の画像をデジタルズームしようとする場合には、画像再生装置を操作して連写画像の再生を一旦停止し、さらに特定の画像を拡大操作しなければならないために、操作自体が面倒であるとともに、見ている側も操作が行われるのを待つ時間が生じるために十分に楽しむことができない。
【００１２】
このように、連続撮影して得られた画像を再生する際に、面倒な操作を必要とすることなく、クローズアップ処理等がなされて、見応えのある画像を鑑賞することができるような画像再生装置が望まれている。
【００１３】
本発明は上記事情に鑑みてなされたものであり、連続撮影により得られた画像を連続再生する際に、面倒な操作を要することなく、特定の画像を拡大して再生することができる画像再生装置、画像再生プログラム、記録媒体、画像再生方法を提供することを目的としている。
【課題を解決するための手段】
【００１４】
上記の目的を達成するために、第１の発明による画像再生装置は、画像のズーム処理を行うズーム処理部と、時間的に連続して撮影されることにより得られた複数の画像で構成される画像グループの画像を撮影順序に従って連続的に再生するように制御するものであって上記画像グループに含まれている画像の内の少なくとも１つにズーム情報が設定されている場合には該ズーム情報に基づいて少なくとも該ズーム情報が設定されている画像のズーム処理を上記ズーム処理部に行わせるように制御する再生制御部と、を具備し、上記再生制御部は、上記ズーム処理が行われた画像を、該ズーム処理が行われた画像の上記撮影順序における前の画像と後の画像との間に挿入して再生するように制御するものである。
【００１５】
また、第２の発明による画像再生装置は、上記第１の発明による画像再生装置において、上記再生制御部が、上記ズーム処理が行われた画像を、該ズーム処理が行われた対象である元の画像の再生に引き続いて、再生するように制御するものである。
【００１６】
さらに、第３の発明による画像再生装置は、上記第１の発明による画像再生装置において、上記再生制御部が、上記ズーム処理が行われた画像を、該ズーム処理が行われた対象である元の画像の再生を行うことなく、再生するように制御するものである。
【００１７】
第４の発明による画像再生装置は、上記第１の発明による画像再生装置において、上記再生制御部が、上記ズーム情報が設定されている画像の上記撮影順序における前の１つ以上の画像と後の１つ以上の画像との少なくとも一方であって、かつズーム情報が設定されていない画像についても、該ズーム情報に基づいて、上記ズーム処理部に自動的にズーム処理を行わせるように制御するものである。
【００１８】
第５の発明による画像再生装置は、上記第４の発明による画像再生装置において、上記再生制御部が、上記ズーム情報に基づく拡大率と、該ズーム情報が設定されている画像の上記撮影順序における１つ前または１つ後の画像の拡大率との比が、予め設定された値以上である場合に上記ズーム処理部に上記自動的なズーム処理を行わせ、該予め設定された値未満である場合には該自動的なズーム処理を行わせないように制御するものである。
【００１９】
第６の発明による画像再生装置は、上記第４の発明による画像再生装置において、上記再生制御部が、上記ズーム情報が設定されていない画像に対する上記自動的なズーム処理においては、上記ズーム情報に基づく拡大率よりも低い拡大率で上記ズーム処理部にズーム処理を行わせるように制御するものである。
【００２０】
第７の発明による画像再生装置は、上記第１の発明による画像再生装置において、上記再生制御部が、上記ズーム処理が行われた画像の再生時間を、該ズーム処理が行われていない画像の再生時間よりも短くするように制御するものである。
【００２１】
第８の発明による画像再生装置は、上記第１の発明による画像再生装置において、上記再生制御部が、上記画像グループに含まれている画像の内の少なくとも２つにズーム情報が設定されている場合であって、かつズーム情報が設定されている２つの画像の上記撮影順序における間の画像にズーム情報が設定されていない場合には、該撮影順序における間の画像に対しても、少なくとも一方のズーム情報に基づいて、上記ズーム処理部に自動的にズーム処理を行わせるように制御するものである。
【００２２】
第９の発明による画像再生装置は、上記第８の発明による画像再生装置において、上記再生制御部が、上記ズーム情報が設定されている２つの画像の上記撮影順序における間の画像の数が、予め設定された数以下である場合に上記ズーム処理部に上記自動的なズーム処理を行わせ、該予め設定された数よりも大きい場合には該自動的なズーム処理を行わせないように制御するものである。
【００２３】
第１０の発明による画像再生装置は、上記第１の発明による画像再生装置において、上記再生制御部が、画像の連続的な再生を行う前に、上記画像グループに含まれている全画像のズーム情報に基づいて、該全画像に係る拡大率と再生時間とが設定されたズームシーケンスを作成し、該ズームシーケンスに基づいて画像の連続的な再生を制御するものである。
【００２４】
第１１の発明による画像再生装置は、上記第１の発明による画像再生装置において、上記画像グループに含まれている画像にズーム情報を設定する操作を行うための操作部と、上記操作部へのズーム情報の設定操作に応じて該設定操作の対象となった画像に該ズーム情報を関連付けて記録するズーム情報設定部と、をさらに具備したものである。
【００２５】
第１２の発明による画像再生装置は、上記第１の発明による画像再生装置において、上記再生制御部が、上記ズーム処理が行われた画像を挿入して再生した後は、該ズーム処理が行われた画像を挿入しない再生を行った場合に該再生後の時点で再生される予定のズーム処理が行われていない画像から、上記撮影順序に従った連続的な再生を再開するように制御するものである。
【００２６】
第１３の発明による画像再生装置は、上記第１２の発明による画像再生装置において、上記画像グループに含まれている各画像に対応する音声の再生を行うための音声処理部をさらに具備し、上記再生制御部は、上記音声処理部による音声の再生も制御するものであって、上記画像の連続的な再生とともに音声も再生する場合には、上記ズーム処理が行われた画像を挿入して再生するときにも、該ズーム処理が行われた画像を挿入しない再生を行った場合に再生される予定のズーム処理が行われていない画像に対応する音声を再生するように制御するものである。
【００２７】
第１４の発明による画像再生プログラムは、コンピュータに、時間的に連続して撮影されることにより得られた複数の画像で構成される画像グループの画像を撮影順序に従って連続的に再生するステップと、上記画像グループに含まれている画像の内の少なくとも１つにズーム情報が設定されている場合には該ズーム情報に基づいて少なくとも該ズーム情報が設定されている画像のズーム処理を行うステップと、上記ズーム処理が行われた画像を該ズーム処理が行われた画像の上記撮影順序における前の画像と後の画像との間に挿入して再生するステップと、上記ズーム処理が行われた画像を挿入して再生した後は該ズーム処理が行われた画像を挿入しない再生を行った場合に該再生後の時点で再生される予定のズーム処理が行われていない画像から上記撮影順序に従った連続的な再生を再開するステップと、を実行させるためのプログラムである。
【００２８】
第１５の発明による記録媒体は、コンピュータに、時間的に連続して撮影されることにより得られた複数の画像で構成される画像グループの画像を撮影順序に従って連続的に再生するステップと、上記画像グループに含まれている画像の内の少なくとも１つにズーム情報が設定されている場合には該ズーム情報に基づいて少なくとも該ズーム情報が設定されている画像のズーム処理を行うステップと、上記ズーム処理が行われた画像を該ズーム処理が行われた画像の上記撮影順序における前の画像と後の画像との間に挿入して再生するステップと、上記ズーム処理が行われた画像を挿入して再生した後は該ズーム処理が行われた画像を挿入しない再生を行った場合に該再生後の時点で再生される予定のズーム処理が行われていない画像から上記撮影順序に従った連続的な再生を再開するステップと、を実行させるための画像再生プログラムを記録する、コンピュータにより読み取り可能な記録媒体である。
【００２９】
第１６の発明による画像再生方法は、時間的に連続して撮影されることにより得られた複数の画像で構成される画像グループの画像を撮影順序に従って連続的に再生するステップと、上記画像グループに含まれている画像の内の少なくとも１つにズーム情報が設定されている場合には該ズーム情報に基づいて少なくとも該ズーム情報が設定されている画像のズーム処理を行うステップと、上記ズーム処理が行われた画像を該ズーム処理が行われた画像の上記撮影順序における前の画像と後の画像との間に挿入して再生するステップと、上記ズーム処理が行われた画像を挿入して再生した後は該ズーム処理が行われた画像を挿入しない再生を行った場合に該再生後の時点で再生される予定のズーム処理が行われていない画像から上記撮影順序に従った連続的な再生を再開するステップと、を含む方法である。
【発明の効果】
【００３０】
本発明の画像再生装置、画像再生プログラム、記録媒体、画像再生方法によれば、連続撮影により得られた画像を連続再生する際に、面倒な操作を要することなく、特定の画像を拡大して再生することが可能となる。
【発明を実施するための最良の形態】
【００３１】
以下、図面を参照して本発明の実施の形態を説明する。
【００３２】
［実施形態１］
図１から図１２は本発明の実施形態１を示したものであり、図１は画像再生装置の構成を示すブロック図である。
【００３３】
この画像再生装置１は、ＣＰＵ１１と、ＲＯＭ１２と、ＲＡＭ１３と、読出部１４と、画像記憶部１５と、表示画像作成部１６と、表示処理部１７と、表示部１８と、操作部１９と、音声処理部２１と、スピーカ２２と、を有して構成されている。
【００３４】
これらの内の、ＣＰＵ１１と、ＲＯＭ１２と、ＲＡＭ１３と、読出部１４と、画像記憶部１５と、表示画像作成部１６と、表示処理部１７と、音声処理部２１とは、バスを介して相互に通信可能に接続されている。また、表示処理部１７は、表示部１８に接続されている。操作部１９は、ＣＰＵ１１に接続されている。音声処理部２１は、スピーカ２２に接続されている。
【００３５】
ＣＰＵ１１は、この画像再生装置１を統括的に制御する制御部であり、画像の再生に関する制御を行うための再生制御部１１ａと、連写撮影により得られた連写画像の認識を行うための連写画像認識部１１ｂと、連写画像の中の特定の画像にズーム情報を設定するためのズーム情報設定部１１ｃと、を備えている。なお、ここでは、時間的に連続して撮影されることにより得られた複数の画像で構成される画像グループを代表して、静止画を連写撮影することにより得られた連写画像を例に挙げているが、これに限らず、動画像であっても構わない。
【００３６】
ＲＯＭ１２は、ＣＰＵ１１により実行される制御プログラムや、この画像再生装置１内で用いられる各種のデータ等を保持する不揮発性メモリである。
【００３７】
ＲＡＭ１３は、ＣＰＵ１１の作業用に用いられる揮発性メモリであり、画像データ等を記憶するために用いられるようになっている。
【００３８】
画像記憶部１５は、例えばフラッシュメモリ等の不揮発性の記録媒体として構成されたものであり、連写画像を含む複数の画像が記録されているものである。この画像記憶部１５には、画像と共に再生するための音声データも記録されるようになっている。
【００３９】
読出部１４は、画像記憶部１５に記憶されている例えば圧縮された状態の画像データや音声データを読み出して、伸長処理を施した後に、ＲＡＭ１３等へ転送して書き込むものである。
【００４０】
表示画像作成部１６は、画像記憶部１５から読み出されてＲＡＭ１３に展開された画像を、表示部１８に表示するための画像に変換して、変換した画像をまたＲＡＭ１３に書き込む処理を行うものである。この表示画像作成部１６は、画像記憶部１５から読み出されてＲＡＭ１３に展開された画像の一部分のみから表示部１８に表示するための画像を作成する処理である、いわゆる電子ズーム処理を行うためのズーム処理部１６ａを備えている。
【００４１】
表示処理部１７は、表示画像作成部１６により作成されてＲＡＭ１３に記憶されている表示用の画像データを読み出して、表示部１８へ出力するための信号に変換し、変換した信号を表示部１８へ出力するものである。
【００４２】
表示部１８は、表示処理部１７から入力される信号に基づき、画像を表示するものである。
【００４３】
操作部１９は、この画像再生装置１に係る各種の操作を行うための操作スイッチや操作ボタン、電源スイッチ等を含むものである。この操作部１９には、特定の画像を選択するための選択ボタンや、選択された画像の拡大率を設定するためのアップダウンボタン、選択された画像の拡大中心位置を設定するためのＸＹ操作ボタン、選択した情報や項目を決定するためのＯＫボタン、連続再生のパターンを設定するための設定ボタンなどが含まれている。
【００４４】
音声処理部２１は、画像記憶部１５から読み出されてＲＡＭ１３に展開された音声データを、スピーカ２２に出力するためのアナログ信号に変換し、変換したアナログの音声信号をスピーカ２２へ出力するものである。
【００４５】
スピーカ２２は、音声処理部２１から入力される音声信号に基づき、音声を発するものである。
【００４６】
次に、図２は画像記憶部１５に記憶されている連写画像の様子を模式的に示す図である。
【００４７】
画像記憶部１５には、例えば図２に示すように、被写体を連続して撮影することによって得られたＮｏ．１からＮｏ．５までの連写画像が記憶されている。
【００４８】
これらの内のＮｏ．２の画像には、電子ズーム情報Ｚａ，Ｚｂ，Ｚｂが例えばヘッダ情報として記憶されている。電子ズーム情報Ｚａは、１．５倍の拡大率でＮｏ．２の画像の所定領域を拡大するための情報であり、再生される画像は電子ズーム画像Ｎｏ．２ａとなる。電子ズーム情報Ｚｂは、２倍の拡大率でＮｏ．２の画像の所定領域を拡大するための情報であり、再生される画像は電子ズーム画像Ｎｏ．２ｂとなる。電子ズーム情報Ｚｃは、３倍の拡大率でＮｏ．２の画像の所定領域を拡大するための情報であり、再生される画像は電子ズーム画像Ｎｏ．２ｃとなる。
【００４９】
同様に、Ｎｏ．４の画像には、電子ズーム情報Ｚａが例えばヘッダ情報として記憶されている。この電子ズーム情報Ｚａは、１．５倍の拡大率でＮｏ．４の画像の所定領域を拡大するための情報となっている。
【００５０】
次に、図３は図２に示したような連写画像を通常の連続再生するときの例を示すタイムチャートである。
【００５１】
この通常の連続再生時には、連写によって得られた各画像Ｎｏ．１、Ｎｏ．２、Ｎｏ．３、Ｎｏ．４、Ｎｏ．５のみが、この順に所定の時間ｔ１（例えば１秒など）だけ表示部１８に表示される。
【００５２】
続いて、図４は図２に示したような連写画像を第１のズーム連続再生するときの例を示すタイムチャートである。
【００５３】
この第１のズーム連続再生時には、連写によって得られた画像Ｎｏ．１、Ｎｏ．２が所定の時間ｔ１（例えば１秒など）再生された後に、連写によって得られた画像Ｎｏ．２に係る電子ズーム画像Ｎｏ．２ａ、Ｎｏ．２ｂ、Ｎｏ．２ｃが所定の時間ｔ２（ここに、ｔ２は例えばｔ１よりも短い時間として設定されていて、具体的には０．５秒など）再生される。その後に、連写によって得られた画像Ｎｏ．３、Ｎｏ．４が所定の時間ｔ１再生され、さらに連写によって得られた画像Ｎｏ．４に係る電子ズーム画像Ｎｏ．４ａが所定の時間ｔ２再生される。そして、その後に連写によって得られた画像Ｎｏ．５が所定の時間ｔ１再生される。
【００５４】
このように第１のズーム連続再生は、電子ズーム情報Ｚａ等が記録されている画像についてはズームアップ処理を行う再生となっている。
【００５５】
次に、図５は図２に示したような連写画像を第２のズーム連続再生するときの例を示すタイムチャートである。
【００５６】
この第２のズーム連続再生時には、連写によって得られた画像Ｎｏ．１、Ｎｏ．２が所定の時間ｔ１再生された後に、連写によって得られた画像Ｎｏ．２に係る電子ズーム画像Ｎｏ．２ａ、Ｎｏ．２ｂ、Ｎｏ．２ｃ、Ｎｏ．２ｂ、Ｎｏ．２ａが所定の時間ｔ２再生される。その後に、連写によって得られた画像Ｎｏ．３、Ｎｏ．４が所定の時間ｔ１再生され、さらに連写によって得られた画像Ｎｏ．４に係る電子ズーム画像Ｎｏ．４ａが所定の時間ｔ２再生される。そして、その後に連写によって得られた画像Ｎｏ．５が所定の時間ｔ１再生される。
【００５７】
このように第２のズーム連続再生は、電子ズーム情報Ｚａ等が記録されている画像についてはズームアップ処理およびズームダウン処理を行って、画像の拡大率が滑らかに連続するような再生となっている。
【００５８】
続いて、図６は図２に示したような連写画像を第３のズーム連続再生するときの例を示すタイムチャートである。
【００５９】
この第３のズーム連続再生時には、連写によって得られた画像Ｎｏ．１が所定の時間ｔ１再生された後に、連写によって得られた画像Ｎｏ．２に係る電子ズーム画像Ｎｏ．２ａ、Ｎｏ．２ｂ、Ｎｏ．２ｃ、Ｎｏ．２ｂ、Ｎｏ．２ａが所定の時間ｔ２再生される。その後に、連写によって得られた画像Ｎｏ．３が所定の時間ｔ１再生され、さらに連写によって得られた画像Ｎｏ．４に係る電子ズーム画像Ｎｏ．４ａが所定の時間ｔ２再生される。そして、その後に連写によって得られた画像Ｎｏ．５が所定の時間ｔ１再生される。
【００６０】
このように第３のズーム連続再生は、上述した第２のズーム連続再生から、電子ズーム情報Ｚａ等が記録されている画像自体の再生を省略した処理となっている。従って、ズームアップ処理およびズームダウン処理が行われ、画像の拡大率が滑らかに連続するような再生となっているのは第２のズーム連続再生と同様である。
【００６１】
次に、図７は自動ズームが行われる連続再生の例を示す図である。ここに、この図７は、自動ズーム連続再生において、図６に示したような再生パターンにより再生を行うときの様子を示している。
【００６２】
画像記憶部１５には、例えば図７の左半分に示すように、被写体を連続して撮影することによって得られた連写画像Ｎｏ．１〜Ｎｏ．３が記憶されているものとする。
【００６３】
そして、これらの内の画像Ｎｏ．２には、比較的低い拡大率の電子ズーム情報Ｚａと、比較的高い拡大率の電子ズーム情報Ｚｂと、が例えばヘッダ情報として記憶されている。ここに、電子ズーム情報Ｚａは、例えば１．５倍の拡大率でＮｏ．２の画像のある位置を拡大中心位置とした所定領域を拡大するための情報であり、電子ズーム情報Ｎｏ．２は、例えば１０倍の拡大率でＮｏ．２の画像の他の位置を拡大中心位置とした所定領域を拡大するための情報である。
【００６４】
そして、自動ズーム連続再生が設定されているときには、低い拡大率と高い拡大率とを補間した中間の拡大率の、上記２つの拡大中心位置を補間した位置を拡大中心位置とした補間画像を作成して、該補間画像を用いて、より滑らかな連続再生（例えば、パンをしながらズームするような連続再生）を行うようになっている。
【００６５】
すなわち、まず画像Ｎｏ．１を所定時間ｔ１再生し（ステップＳ１）、次に画像Ｎｏ．２を電子ズーム情報Ｚａ（拡大率１．５倍）に基づき拡大して得られる電子ズーム画像Ｎｏ．２ａを所定時間ｔ２再生する（ステップＳ２）。
【００６６】
続いて、電子ズーム情報Ｚａと電子ズーム情報Ｚｂとを補間して得られる第１の拡大率３倍で画像Ｎｏ．２の補間された第１の拡大中心位置（例えば、Ｎｏ．２ａの中心位置とＮｏ．２ｂの中心位置とを１：２に内分した位置。なお、拡大率に応じて中心位置を調整した方が望ましいことはもちろんである（以下同様）。）を中心として拡大して得られる電子ズーム画像Ｎｏ．２ａ１を所定時間ｔ２再生する（ステップＳ３）。
【００６７】
さらに、電子ズーム情報Ｚａと電子ズーム情報Ｚｂとを補間して得られる第２の拡大率６倍で画像Ｎｏ．２の補間された第２の拡大中心位置（例えば、Ｎｏ．２ａの中心位置とＮｏ．２ｂの中心位置とを２：１に内分した位置）を中心として拡大して得られる電子ズーム画像Ｎｏ．２ａ２を所定時間ｔ２再生する（ステップＳ４）。
【００６８】
その後、画像Ｎｏ．２を電子ズーム情報Ｚｂ（拡大率１０倍）に基づき拡大して得られる電子ズーム画像Ｎｏ．２ｂを所定時間ｔ２再生する（ステップＳ５）。
【００６９】
次に、所定時間ｔ２ずつ電子ズーム画像Ｎｏ．２ａ２、Ｎｏ．２ａ１、Ｎｏ．２ａを再生する（ステップＳ６，Ｓ７，Ｓ８）。
【００７０】
そして、画像Ｎｏ．３を所定時間ｔ１再生する（ステップＳ９）。
【００７１】
このように、自動ズーム連続再生は、中間の拡大率や中心位置を補いながら、ズーム連続再生を行う処理となっている。なお、ここでは図６に示したような再生パターンにおいて自動ズーム連続再生を行う例について説明したが、図５や図４に示したような再生パターンや、その他の再生パターンにおいて同様に自動ズーム連続再生を行うようにしても構わない。また、ここでは、拡大率の差（あるいは拡大率の比。以下同様。）が大きいときに自動ズーム再生を行うようにしているが、これに限らず、拡大率の差が小さいときであっても、中心位置の差が大きいときには自動ズーム連続再生を行うようにしても構わない。あるいは、電子ズームにより切り出される画像の傾き（角度）が異なる場合であって、その角度差が大きい場合には、中間の角度の画像を補うように自動ズーム連続再生を行うようにしても構わない。つまり、ある電子ズーム画像と他の電子ズーム画像との設定において、拡大率、中心位置、傾きの少なくとも１つが所定値以上異なる場合には、中間値を補うように自動ズーム連続再生を行うようにすればよい。
【００７２】
次に、図８は、画像再生装置１の処理の流れを示すフローチャートである。
【００７３】
この処理を開始すると、まず、連続再生ズームを設定するモードであるか否かを判定する（ステップＳ１１）。
【００７４】
ここで、連続再生ズームを設定するモードであると判定された場合には、後述するような連続再生ズーム情報の設定処理を行う（ステップＳ１２）。
【００７５】
このステップＳ１２の処理が終了するか、またはステップＳ１１において連続再生ズームを設定するモードでないと判定された場合には、連続再生の処理を実行する（ステップＳ１３）。
【００７６】
そして、連続再生処理が終了したところで、この処理を終了する。
【００７７】
続いて、図９は図８のステップＳ１２における連続再生のズーム情報設定の処理を示すフローチャートである。
【００７８】
この処理を開始すると、まず、一連の撮影により得られた複数枚の画像で構成される画像グループ（例えば連写画像）の何れかが操作部１９を介して選択されたか否かを判定する（ステップＳ２１）。ここに、選択された画像が連写画像であるか否かは、連写画像認識部１１ｂが判定するようになっている。
【００７９】
ここで、画像グループの選択が行われたと判定された場合には、選択された画像グループに属する各画像を、表示部１８にサムネイル表示する（ステップＳ２２）。
【００８０】
そして、サムネイル表示した各画像の内の何れかの画像が選択されたか否かを判定する（ステップＳ２３） 。
【００８１】
ここで、何れかの画像が選択された場合には、選択された画像を表示部１８に１コマ表示する（ステップＳ２４）。
【００８２】
そして、ＸＹ操作ボタンにより拡大中心位置が指示入力され、アップダウンボタンにより拡大倍率が指示入力されたか否かを判定する（ステップＳ２５）。
【００８３】
ここで、中心位置や拡大率が指示入力されたと判定された場合には、その指示に応じてズーム処理部１６ａにより電子ズームの中心位置を移動するとともに指定された拡大率で画像を拡大し、表示処理部１７により拡大した電子ズーム画像を表示部１８に表示する（ステップＳ２６）。
【００８４】
このステップＳ２６の処理を行うか、またはステップＳ２５において移動拡大指示が新たには入力されていないと判定された場合には、ＯＫボタンにより表示部１８に現に表示されている電子ズーム画像を決定する指示入力がなされたか否かを判定する（ステップＳ２７）。
【００８５】
ここで、決定指示がなされたと判定された場合には、表示部１８に現に表示されている電子ズーム画像に対して指定された拡大中心位置や拡大率の情報を、ズーム情報設定部１１ｃが該画像に対する確定されたズーム情報として設定する（ステップＳ２８）。
【００８６】
このステップＳ２８の処理が終了するか、またはステップＳ２７において決定指示がなされていないと判定された場合には、選択画像を他の画像に切り換える操作入力がなされたか否かを判定する（ステップＳ２９）。
【００８７】
そして、他の画像に切り換える操作入力がなされたと判定された場合には、ステップＳ２４へ戻って、この他の画像について上述したような処理を繰り返して行う。
【００８８】
また、ステップＳ２９において、他の画像に切り換える操作入力がなされていないと判定された場合には、この連続再生のズーム情報設定の処理を終了する操作入力がなされたか否かを判定する（ステップＳ３０）。
【００８９】
ここで、終了の操作入力がなされていないと判定された場合には、ステップＳ２５へ戻って移動や拡大のさらなる指示がなされるのを待機する。
【００９０】
一方、ステップＳ３０において、終了の操作入力がなされたと判定された場合には、ズーム情報設定部１１ｃにより、ステップＳ２８の処理により各画像に対して確定されているズーム情報を、対応する画像のヘッダ等に記録する（ステップＳ３１）。
【００９１】
こうしてステップＳ３１の処理が終了するか、ステップＳ２１において画像グループが選択されていないと判定されるか、またはステップＳ２３において画像が選択されていないと判定された場合には、この連続再生のズーム情報設定の処理を終了して、図８に示した処理にリターンする。
【００９２】
次に、図１０は図８のステップＳ１３における連続再生実行の処理を示すフローチャートである。
【００９３】
この処理を開始すると、まず、連続再生パターンの設定を行う（ステップＳ４１）。ここでは、例えば図４〜図６、あるいは図７に示したような再生パターンの内の何れかの選択がユーザにより行われた場合には該再生パターンを設定し、ユーザからの設定入力がない場合には所定の再生パターンを設定する。
【００９４】
次に、画像グループが選択されているか否かを判定し（ステップＳ４２）、選択が行われるまでは待機する。
【００９５】
そして、画像グループが選択されたところで、選択された画像グループを連続再生の対象として設定し（ステップＳ４３）、後述するような表示画像を作成する処理と（ステップＳ４４）、作成した表示画像を表示する処理と（ステップＳ４５）を、ステップＳ４４の処理がステップＳ４５の処理に先行するようにしながら並列的に行う。
【００９６】
そして、ステップＳ４４およびステップＳ４５の処理が終了したところで、この処理から図８に示した処理にリターンする。
【００９７】
続いて、図１１は図１０のステップＳ４４における表示画像作成処理を示すフローチャートである。
【００９８】
この処理を開始すると、再生制御部１１ａの制御の下に、上述したステップＳ４３により設定された画像グループに含まれる画像を画像記憶部１５から選択して、読出部１４により選択した画像を読み出して伸長し、伸長した画像をＲＡＭ１３に書き込む（ステップＳ５１）。
【００９９】
次に、読み出した画像の画像ヘッダにズーム情報が存在するか否かを判定し（ステップＳ５２）、ズーム情報が存在しない場合には表示画像作成部１６により等倍の表示画像を作成し（ステップＳ５３）、ズーム情報が存在する場合にはズーム処理部１６ａにより電子ズーム画像を作成する（ステップＳ５４）。
【０１００】
ステップＳ５３またはステップＳ５４の処理が終了したら、次に、作成された表示画像をＲＡＭ１３に展開する（ステップＳ５５）。
【０１０１】
そして、画像グループに含まれる全ての画像について表示画像の作成処理が終了したか否かを判定し（ステップＳ５６）、まだ全ての画像についての処理が終了していない場合にはステップＳ５１へ戻って次の画像について上述したような処理を行う。
【０１０２】
こうして、ステップＳ５６において、画像グループに含まれる全ての画像について表示画像の作成が終了したと判定された場合には、この処理から図１０に示した処理にリターンする。
【０１０３】
次に、図１２は図１０のステップＳ４５における表示処理を示すフローチャートである。
【０１０４】
この処理を開始すると、まず、上述したステップＳ４１において設定された連続再生パターンを読み込む（ステップＳ６１）。
【０１０５】
そして、上記ステップＳ５５においてＲＡＭ１３に展開された表示画像を、このＲＡＭ１３から読み出して（ステップＳ６２）、読み出した表示画像を表示処理部１７を介して表示部１８により表示する（ステップＳ６３）。
【０１０６】
そして、現在表示している画像に関して表示を行うべき所定時間（例えば、上述したｔ１あるいはｔ２）が経過したか否かを判定し（ステップＳ６４）、経過していない場合にはステップＳ６２へ戻って所定時間が経過するのを待機する。
【０１０７】
そして、ステップＳ６４において、所定時間が経過したと判定された場合には、選択された画像グループに属している最後の画像であるか否かを判定し（ステップＳ６５）、まだ最後の画像ではないと判定された場合には表示画像を次の画像に切り換える処理を行って（ステップＳ６６）、ステップＳ６２へ戻って上述したような処理を繰り返して行う。
【０１０８】
こうして、ステップＳ６５において最後の画像であると判定された場合には、この処理から図１０に示した処理にリターンする。
【０１０９】
このような実施形態１によれば、撮影時にズームアップ等がなされていない単調な画像が続く連写画像であっても、連写画像に対してズーム情報が設定されている場合には、ユーザが再生時に１コマ毎に電子ズーム処理を行う等の面倒な操作を不要としながら、クローズアップ処理等がなされた見応えのある画像を自動的な連続再生により鑑賞することが可能となる。
【０１１０】
また、複数の再生パターンから所望の再生パターンを選択することができるために、連写画像の撮影シーンに最も適した再生パターンを選んで再生することが可能となる。
【０１１１】
そして、自動ズーム連続再生を選択した場合には、拡大率、中心位置、傾きの何れかに差がある場合には中間の拡大率、中心位置、傾きの電子ズーム画像が自動的に設定されるために、滑らかなズームアップやズームダウン等の連続再生画像を面倒な操作を行うことなく鑑賞することが可能となる。
【０１１２】
加えて、ズーム情報は画像ファイルのヘッダに記録されているために、各画像に対してズーム画像を作成し記録する場合に比して、画像記憶部１５に要する記憶容量を削減することが可能となる。
【０１１３】
また、表示画像の作成処理と表示画像の表示処理とを並列的に行うようにしたために、全ての表示画像を作成した後に表示を行う場合に比して、連続再生の指示入力を行ってから連続再生が開始されるまでの時間を短縮することが可能となる。
【０１１４】
［実施形態２］
図１３から図１６は本発明の実施形態２を示したものであり、図１３はズームシーケンスの第１の例を示す図、図１４はズームシーケンスの第２の例を示す図、図１５はズームシーケンスの第３の例を示す図、図１６は表示画像作成処理を示すフローチャートである。
【０１１５】
この実施形態２において、上述の実施形態１と同様である部分については同一の符号を付して説明を省略し、主として異なる点についてのみ説明する。
【０１１６】
本実施形態は、画像に対して記録されているズーム情報に基づいて、連続再生を行うためのズームシーケンスを自動的に作成し、作成したズームシーケンスに沿って自動的に連続再生を行うようにしたものとなっている。
【０１１７】
まず、図１３から図１５を参照して、作成されるズームシーケンスの幾つかの例を説明する。
【０１１８】
図１３は、上述した自動ズーム連続再生と同様に、設定されている拡大率の差（あるいは比）が大きいときに、中間の拡大率を自動的に設定するようにしたズームシーケンスを示している。
【０１１９】
この図１３に示す例においては、Ｎｏ．６の画像に拡大率１．５倍の電子ズーム情報Ｚ１が設定されており、Ｎｏ．１１の画像に拡大率４倍の電子ズーム情報Ｚ２が設定されていて、これら以外の画像には電子ズーム情報が設定されていない。そして、連続する画像の拡大率の比が例えば３倍以上である場合には、中間の拡大率を自動的に設定するようになっている。
【０１２０】
すなわち、Ｎｏ．５の画像の拡大率は１倍、Ｎｏ．６の画像の拡大率は１．５倍、Ｎｏ．７の画像の拡大率は１倍であるために、Ｎｏ．６の画像の前後の拡大率の比は１．５であり、３よりも小さい。従って、Ｎｏ．６の画像の前後において中間の拡大率が自動的に設定されることはない。
【０１２１】
これに対して、Ｎｏ．１０の画像の拡大率は１倍、Ｎｏ．１１の画像の拡大率は４倍、Ｎｏ．１２の画像の拡大率は１倍であるために、Ｎｏ．１１の画像は前側の拡大率の比が４、後側の拡大率の比が４であり、３以上である。従って、Ｎｏ．１１の画像の前側の画像であるＮｏ．１０に対しては中間の拡大率として例えば２．５倍が自動的に設定されＮｏ．１１の画像の後側の画像であるＮｏ．１２に対しても中間の拡大率として例えば２．５倍が自動的に設定されている。
【０１２２】
なお、この図１３に示す例においては、Ｎｏ．１１の前後各１枚の画像に対してのみ中間の拡大率を設定したが、これに限らず、複数枚の画像に対して中間の拡大率を設定するようにしても構わない。例えば、拡大率の比が３未満であるときには０枚、３以上５未満であるときには１枚、５以上１０未満であるときには２枚、など、補間する枚数を、拡大率の比に応じて変更するようにすると良い。
【０１２３】
このように、拡大率の変化が大きいときには、中間の拡大率を補間するようにしたために、より滑らかにズームアップまたはズームダウンされる画像を鑑賞することが可能となる。
【０１２４】
次に、図１４は、フェードインまたはフェードアウトが設定されているときに、中間の拡大率を自動的に設定するようにしたズームシーケンスを示している。
【０１２５】
この図１４に示す例においては、Ｎｏ．５の画像に拡大率２倍の電子ズーム情報Ｚ１１が設定されており、Ｎｏ．７の画像に拡大率２倍の電子ズーム情報Ｚ１２が設定されていて、これら以外の画像には電子ズーム情報が設定されていない。そして、Ｎｏ．５の画像にフェードインの設定が行われ、Ｎｏ．７の画像にフェードアウトの設定が行われているものとする。
【０１２６】
このときには、Ｎｏ．５の画像の１つ前のＮｏ．４の画像に対して、中間の拡大率である例えば１．５倍の拡大率が自動的に設定されると共に、Ｎｏ．７の画像の１つ後のＮｏ．８の画像に対して、中間の拡大率である例えば１．５倍の拡大率が自動的に設定されるようになっている。
【０１２７】
続いて、図１５は、所定枚数以下の画像を隔てた２つの画像に対してある拡大率が設定されているときに、これら２つの画像に挟まれた画像に対して拡大率を自動的に設定するようにしたズームシーケンスを示している。
【０１２８】
この図１５に示す例においては、Ｎｏ．３の画像に拡大率４倍の電子ズーム情報Ｚ２１が設定され、Ｎｏ．７の画像に拡大率４倍の電子ズーム情報Ｚ２２が設定され、Ｎｏ．１５の画像に拡大率４倍の電子ズーム情報Ｚ２３が設定され、Ｎｏ．１９の画像に拡大率２．５倍の電子ズーム情報Ｚ２４が設定されており、これら以外の画像には電子ズーム情報が設定されていない。そして、電子ズーム情報が設定されている２つの画像の間にある画像の枚数が例えば３枚以下である場合には、これら間にある画像の拡大率を自動的に設定するようになっている。
【０１２９】
すなわち、４倍の拡大率が設定されたＮｏ．３の画像と、４倍の拡大率が設定されたＮｏ．７の画像と、の間には、３枚の画像Ｎｏ．４〜Ｎｏ．６が存在し、つまり３枚以下である。そこで、これら３枚の画像Ｎｏ．４〜Ｎｏ．６に対して、Ｎｏ．３およびＮｏ．７７と同一の４倍の拡大率が自動的に設定されるようになっている。
【０１３０】
また、４倍の拡大率が設定されたＮｏ．７の画像と、４倍の拡大率が設定されたＮｏ．１５の画像と、の間には、７枚の画像Ｎｏ．８〜Ｎｏ．１４が存在し、つまり３枚よりも多い枚数である。従って、これらの画像Ｎｏ．８〜Ｎｏ．１４に対しては、拡大率は設定されず、等倍のままである。
【０１３１】
さらに、４倍の拡大率が設定されたＮｏ．１５の画像と、２．５倍の拡大率が設定されたＮｏ．１９の画像と、の間には、３枚の画像Ｎｏ．１６〜Ｎｏ．１８が存在し、つまり３枚以下である。そこで、これら３枚の画像Ｎｏ．１６〜Ｎｏ．１８に対しては、拡大率が自動的に設定されるようになっている。このとき、Ｎｏ．１５の画像とＮｏ．１９の画像とでは拡大率が異なるために、その設定の仕方としては種々のものが考えられるが、ここでは２つの例を挙げておく。まず、パスＰａは、３枚の画像Ｎｏ．１６〜Ｎｏ．１８に対して、拡大開始時点の画像であるＮｏ．１５の画像と同一の拡大率の４倍を与えるようにする例である。また、パスＰｂは、３枚の画像Ｎｏ．１６〜Ｎｏ．１８に対して、Ｎｏ．１５の拡大率とＮｏ．１９の拡大率とを結ぶ線上にある拡大率を順次与える例である。このパスＰｂにおいては、具体的には、Ｎｏ．１６の画像に対して拡大率３．６が、Ｎｏ．１７の画像に対して拡大率３．３が、Ｎｏ．１８の画像に対して拡大率２．９が、それぞれ与えられる例を挙げられる。
【０１３２】
次に、本実施形態の画像再生装置により行われる処理は、上述した実施形態１と基本的に同様であるが、図１１の表示画像作成処理に代えて、図１６に示すような表示画像作成処理を行うようになっている。この図１６に示す表示画像作成処理は、ズームシーケンスを作成して行う処理となっている。
【０１３３】
この処理を開始すると、画像記憶部１５から、グループ画像に含まれる各画像のヘッダ情報を読み出して（ステップＳ７１）、グループ画像全体のズームシーケンスを図１３〜図１５において説明したように作成する（ステップＳ７２）。
【０１３４】
ズームシーケンスが作成されたら、グループ画像に属する画像を画像記憶部１５から読み出して伸長し、伸長した画像をＲＡＭ１３に書き込む（ステップＳ７３）。
【０１３５】
そして、再生制御部１１ａが、ステップＳ７３において伸長処理した画像がズーム対象画像であるか否かを、画像番号とステップＳ７２で作成されたズームシーケンスとを照合することにより判定する（ステップＳ７４）。
【０１３６】
ここで、ズーム対象画像でないと判定された場合には表示画像作成部１６により等倍の表示画像を作成し（ステップＳ７５）、ズーム対象画像であると判定された場合にはズーム処理部１６ａにより電子ズーム画像を作成する（ステップＳ７６）。
【０１３７】
ステップＳ７５またはステップＳ７６の処理が終了したら、次に、作成された表示画像をＲＡＭ１３に展開する（ステップＳ７７）。
【０１３８】
そして、画像グループに含まれる全ての画像について表示画像の作成処理が終了したか否かを判定し（ステップＳ７８）、まだ全ての画像についての処理が終了していない場合にはステップＳ７３へ戻って次の画像について上述したような処理を行う。
【０１３９】
こうして、ステップＳ７８において、画像グループに含まれる全ての画像について表示画像の作成が終了したと判定された場合には、この処理から図１０に示した処理にリターンする。
【０１４０】
このような実施形態２によれば、上述した実施形態１とほぼ同様の効果を奏するとともに、予めグループ画像に属する全画像のヘッダ情報を読み出してズームシーケンスを作成し、このズームシーケンスに沿って連続再生を行うようにしたために、各画像毎にヘッダ情報を確認しながら連続再生を行う場合に比べて、再生開始後の処理の負荷を軽減することができると共に、グループ画像内に設定されているズーム情報に応じて、ズーム情報が設定されていない画像に対しても予め適宜のズーム倍率を自動的に設定することが可能となる。
【０１４１】
これにより、滑らかなズームアップやズームダウン、フェードインやフェードアウトの処理が可能となる。また、全ての画像に拡大率を設定しなくても、拡大を開始したい画像と拡大を終了したい画像とだけに拡大率を設定すれば、所望の電子ズーム処理が行われるために、ユーザの設定を簡単にすることも可能となる。
【０１４２】
［実施形態３］
図１７および図１８は本発明の実施形態３を示したものであり、図１７は連写画像を連続再生するとともに音声を再生するときの例を示すタイムチャート、図１８は連続再生実行の処理を示すフローチャートである。
【０１４３】
この実施形態３において、上述の実施形態１，２と同様である部分については同一の符号を付して説明を省略し、主として異なる点についてのみ説明する。
【０１４４】
本実施形態は、音声とともに連写画像を連続再生するときの例を示すものとなっている。
【０１４５】
まず、図１７を参照して、本実施形態における連続再生の概要について説明する。
【０１４６】
画像記憶部１５には、図１７（Ａ）に示すように、Ｎｏ．１〜の連写画像が記憶されているものとし、Ｎｏ．３の画像のヘッダには４倍の拡大率を示す電子ズーム情報が記憶されているものとする。
【０１４７】
このとき、もし通常の連続再生が行われる場合には、図１７（Ａ）に示すように、Ｎｏ．１〜の画像が所定時間ｔ１ずつ再生されて、電子ズーム情報が用いられることはなく、Ｎｏ．３ａの電子ズーム画像は再生されない。
【０１４８】
これに対して、ユーザにより例えば実施形態１の図４に示したような再生パターンが指定され、かつ中間の拡大率を自動的に補間する自動ズーム連続再生が設定されているものとする。
【０１４９】
このときに、もし実施形態１の図４に示したように連続再生を行うと、Ｎｏ．３およびその拡大画像Ｎｏ．３ａ１、Ｎｏ．３ａ２、Ｎｏ．３ａ３を再生するのに要する時間がｔ１＋３×ｔ２となってしまい、通常の再生時間ｔ１を想定して行われる音声再生と時間的にずれることになってしまう。そこで、例えば図１７（Ｂ）に示すように連続再生を行うようにしたものである。
【０１５０】
すなわち、音声の再生を開始するとともに、Ｎｏ．１〜Ｎｏ．３の画像を時間ｔ１ずつまず再生する。そして、拡大率２倍の画像Ｎｏ．３ａ１と、拡大率３倍の画像Ｎｏ．３ａ２と、拡大率４倍の画像Ｎｏ．３ａ３と、を時間ｔ１ずつ再生する。このときには、音声も通常の予定通りに再生される（つまり、画像Ｎｏ．３ａ１を再生しているときには画像Ｎｏ．４を再生する場合に対応する音声が再生され、画像Ｎｏ．３ａ２を再生しているときには画像Ｎｏ．５を再生する場合に対応する音声が再生され、画像Ｎｏ．３ａ３を再生しているときには画像Ｎｏ．６を再生する場合に対応する音声が再生される）。
【０１５１】
この画像Ｎｏ．３ａ３を再生し終わった時点では、図１７（Ａ）に示すような通常再生においてＮｏ．６の画像を再生し終わった時間が経過しているために、画像Ｎｏ．３ａ３に続いて再生する画像をＮｏ．４とする代わりに、Ｎｏ．７の画像を時間ｔ１再生し、その後は通常の連続再生と同様にＮｏ．８〜の画像を時間ｔ１ずつ再生する（すなわち、Ｎｏ．７の画像から通常の連続再生を再開する）。
【０１５２】
このような処理を行うことにより、連続再生の途中に電子ズームを行ったとしても画像と音声との同時性がずれることがなくなる。
【０１５３】
なお、この図１７（Ｂ）に示す例においては、電子ズーム画像も時間ｔ１ずつ再生しているが、もちろん実施形態１と同様に時間ｔ２ずつ再生するようにしても構わない。このときにも、電子ズーム画像の再生を終わった時点で、電子ズーム画像の再生を行わず通常再生を行ったときにその時点で元来再生されるべき画像（すなわち、再生されている音声に対応する画像）の再生を、その後に行えば良い。
【０１５４】
次に、本実施形態の画像再生装置により行われる処理は、上述した実施形態１と基本的に同様であるが、図８のステップＳ１３における連続再生実行処理の詳細は、図１８に示すようになっている。
【０１５５】
この処理を開始すると、音声の再生を開始すると共に、画像グループに属する画像の再生処理を開始する（ステップＳ８１）。
【０１５６】
そして、画像が電子ズーム情報が付加された画像であるか否かを判定し（ステップＳ８２）、電子ズーム情報が付加されていない画像であると判定された場合には通常の画像再生（すなわち、等倍で時間ｔ１再生する処理）を行う（ステップＳ８３）。このステップＳ８３の処理を行ったら、ステップＳ８２へ戻って、画像グループに属する次の画像について上述したような処理を行う。
【０１５７】
また、ステップＳ８２において、電子ズーム情報が付加されている画像であると判定された場合には、拡大率の補間（図１７（Ｂ）に示した例においては、等倍と４倍との間の２倍、３倍）を行って、補間された拡大率を含む各画像（図１７（Ｂ）に示した例においては、等倍、２倍、３倍、４倍の各画像）を再生する処理を行う（ステップＳ８４）。
【０１５８】
そして、これら電子ズーム画像の再生が終了したか否かを判定し（ステップＳ８５）、まだ再生が終了していないと判定された場合には、ステップＳ８４へ戻って電子ズーム画像の再生を引き続き行う。
【０１５９】
一方、ステップＳ８５において、電子ズーム画像の再生が終了したと判定された場合には、電子ズーム画像を再生するのに要した時間をカウントする（ステップＳ８６）。
【０１６０】
次に、ステップＳ８６によりカウントした時間から、現在再生中の音声と同時性のある画像のコマ番号を決定し、通常再生を再開するコマ番号とする（ステップＳ８７）。
【０１６１】
その後、連続再生を終了する操作がなされたか否かを判定し（ステップＳ８８）、終了する操作がなされていない場合には、画像グループに含まれる全ての画像について再生処理が終了したか否かを判定する（ステップＳ８９）。
【０１６２】
ここで、まだ全ての画像についての再生処理が終了していないと判定された場合には、ステップＳ８２へ戻って次の画像について上述したような処理を行う。
【０１６３】
こうして、ステップＳ８９において最後の画像まで再生処理が終了したと判定された場合、またはステップＳ８８において終了操作がなされたと判定された場合には、この処理を抜けて図８に示した処理にリターンする。
【０１６４】
なお、ここでは上述したような画像の連続再生技術を、音声を伴って再生するときの技術として説明したが、音声を伴わないときであっても同様の技術を用いて画像を連続再生するようにしても構わない。この場合であっても、連続再生に必要な時間を一定にすることができる効果がある。また、電子ズームを行う画像の後の画像に重要性がない場合には、その画像の再生を自動的にスキップすることができるために、冗長な画像の再生を防止することができる効果もある。
【０１６５】
また、上述では、電子ズーム情報が設定されている画像の後の画像の再生をスキップするようにしたが、これに限らず、電子ズーム情報が設定されている画像の前の画像、あるいは前後の画像の再生をスキップするようにしても構わない。
【０１６６】
このような実施形態３によれば、上述した実施形態１，２とほぼ同様の効果を奏するとともに、電子ズーム画像を含む画像グループを連続再生する際に、音声が途切れることのないように、かつ画像の再生と音声の再生とに時間的なずれが生じることのないように、することができる。これにより、電子ズーム画像を挿入した場合であっても、画像と音声の自然な同期を保つことができる。
【０１６７】
なお、以上の実施形態において、図８〜図１２、図１６、図１８のフローチャートは、ソフトウェア処理を行うＣＰＵ１１とハードウェア処理を行う読出部１４、表示画像作成部１６、表示処理部１７、表示部１８、あるいは音声処理部２１等との組み合わせにより実行される旨を説明した。しかし、ソフトウェア処理とハードウェア処理とをどのように組み合わせるかは、これに限られるものではなく、任意の設計事項とすることができる。そして、ＣＰＵ１１によるソフトウェア処理は、ＲＯＭ１２に格納されているソフトウェアプログラムがＣＰＵ１１により読み出され、読み出されたソフトウェアプログラムに従ってＣＰＵ１１自体が上記動作を行い、あるいはＣＰＵ１１が他の構成要素に上記動作を行わせることによって、実現されるものである。従って、上述したソフトウェアプログラム自体がＣＰＵ１１の機能を実現することになるために、このプログラムは本発明を構成する。また、このプログラムを格納している記録媒体も本発明を構成する。ここに、記録媒体としては、フラッシュメモリやＩＣカード等の半導体メモリ、ハードディスクや磁気テープ等の磁気記録媒体、ＣＤ−ＲＯＭやＤＶＤ等の光学記録媒体、ＭＤ等の光磁気記録媒体、などの何れをも用いることが可能である。加えて、上述したような処理を行う方法も、本発明を構成する。
【０１６８】
また、上述した各実施形態においては、本発明を画像再生装置に適用した例を説明したが、これに限らず、例えば上述したようなデジタルカメラ等の撮像装置に内蔵される画像再生部や、携帯電話のカメラ部に内蔵される画像再生部、あるいはその他の機器に内蔵される画像再生部に適用しても良い。
【０１６９】
そして、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【産業上の利用可能性】
【０１７０】
本発明は、時間的に連続して撮影されることにより得られた複数の画像を撮影順序に従って連続的に再生する画像再生装置、画像再生プログラム、記録媒体、画像再生方法に好適に利用することができる。
【図面の簡単な説明】
【０１７１】
【図１】本発明の実施形態１における画像再生装置の構成を示すブロック図。
【図２】上記実施形態１の画像記憶部に記憶されている連写画像の様子を模式的に示す図。
【図３】上記実施形態１において、図２に示したような連写画像を通常の連続再生するときの例を示すタイムチャート。
【図４】上記実施形態１において、図２に示したような連写画像を第１のズーム連続再生するときの例を示すタイムチャート。
【図５】上記実施形態１において、図２に示したような連写画像を第２のズーム連続再生するときの例を示すタイムチャート。
【図６】上記実施形態１において、図２に示したような連写画像を第３のズーム連続再生するときの例を示すタイムチャート。
【図７】上記実施形態１において、自動ズームが行われる連続再生の例を示す図。
【図８】上記実施形態１における画像再生装置の処理の流れを示すフローチャート。
【図９】上記実施形態１において、図８のステップＳ１２における連続再生のズーム情報設定の処理を示すフローチャート。
【図１０】上記実施形態１において、図８のステップＳ１３における連続再生実行の処理を示すフローチャート。
【図１１】上記実施形態１において、図１０のステップＳ４４における表示画像作成処理を示すフローチャート。
【図１２】上記実施形態１において、図１０のステップＳ４５における表示処理を示すフローチャート。
【図１３】本発明の実施形態２におけるズームシーケンスの第１の例を示す図。
【図１４】上記実施形態２におけるズームシーケンスの第２の例を示す図。
【図１５】上記実施形態２におけるズームシーケンスの第３の例を示す図。
【図１６】上記実施形態２における表示画像作成処理を示すフローチャート。
【図１７】本発明の実施形態３において、連写画像を連続再生するとともに音声を再生するときの例を示すタイムチャート。
【図１８】上記実施形態３における連続再生実行の処理を示すフローチャート。
【符号の説明】
【０１７２】
１…画像再生装置
１１…ＣＰＵ
１１ａ…再生制御部
１１ｂ…連写画像認識部
１１ｃ…ズーム情報設定部
１２…ＲＯＭ
１３…ＲＡＭ
１４…読出部
１５…画像記憶部
１６…表示画像作成部
１６ａ…ズーム処理部
１７…表示処理部
１８…表示部
１９…操作部
２１…音声処理部
２２…スピーカ
【図１】
2008258926.tif 000003
【図２】
2008258926.tif 000004
【図３】
2008258926.tif 000005
【図４】
2008258926.tif 000006
【図５】
2008258926.tif 000007
【図６】
2008258926.tif 000008
【図７】
2008258926.tif 000009
【図８】
2008258926.tif 000010
【図９】
2008258926.tif 000011
【図１０】
2008258926.tif 000012
【図１１】
2008258926.tif 000013
【図１２】
2008258926.tif 000014
【図１３】
2008258926.tif 000015
【図１４】
2008258926.tif 000016
【図１５】
2008258926.tif 000017
【図１６】
2008258926.tif 000018
【図１７】
2008258926.tif 000019
【図１８】
2008258926.tif 000020